(57)【要約】【課題】ノイズ対策部品が大幅に削減できるといった利点を有するものの、静音・防音だけで心の疲れをも癒してくれるものではなかった。【解決する手段】エアコン本体１に音発生手段２を備える。音発生手段２は、種々な効果音を録音してなるＣＤ，ＲＯＭ等の記録媒体と、該記録媒体を制御するメモリーコントローラ３と、前記記録媒体の再生音を発生させるアンプスピーカー４と、前記メモリーコントローラ３の再生モードを切り替えるための切替スイッチ５とを備える。効果音の再生モードとしては、自然界の音、例えば、川のせせらぎの音、滝や波の音、雨の音、風の音、更には、鳥や虫の鳴き声がなど挙げられ、四季や月別に分けて記録媒体若しくはメモリーコントローラ３に記録しておくことで、聞きたい時や時間の設定によりモードを切り替えて好みの効果音を出すことができる。【選択図】図２
2008304174.tif 000002
【特許請求の範囲】
【請求項１】
少なくとも冷房及び／又は暖房を行うルームエアコンディショナーにおいて、ヒーリングミュージック、風、波の音，雨だれの音，川のせせらぎ、鳥のさえずり、虫の鳴き声等の効果音を発生せしめる音発生手段を備えたことを特徴とするルームエアコンディショナー。
【請求項２】
前記音発生手段は、少なくとも効果音が録音された記録媒体と、該記録媒体に録音された効果音を出すためのアンプ及び／又はスピーカーと、前記記録媒体の再生モードを切り替えるための切替スイッチとを備えたことを特徴とする請求項１に記載のルームエアコンディショナー。
【請求項３】
前記音発生手段は、音楽や効果音を発する音源を備えたマイクロスピーカー若しくは集積回路（ＩＣチップ）であることを特徴とする請求項１に記載のルームエアコンディショナー。
【請求項４】
前記音発生手段は、音楽や効果音を録音再生する音録再集積回路と、該音録再集積回路を動作状態にする動作スイッチと、音録再集積回路に音楽や効果音を記憶させる録音スイッチと、音声録再集積回路からの信号を音に変換する発音手段と、音を集音する集音マイクとの全て又は何れかを選択又は組み合わせてなることを特徴とする請求項１に記載のルームエアコンディショナー。
【請求項５】
ノイズ対策部品として音発生手段を設けたことを特徴とする請求項１、２，３又は４に記載のルームエアコンディショナー。
【請求項６】
音発生手段に応じて森林の匂いや天然の香り若しくはマイナスイオンが放たれることを特徴とする請求項１に記載のルームエアコンディショナー。
【請求項７】
車内、室内若しくは建物内部の換気、温度、湿度若しくは空気清浄の状態を自動的に調整する空調手段を備えた空気清浄機、冷風機、冷房若しくは暖房器機であることを特徴とする請求項１に記載のルームエアコンディショナー。
【発明の詳細な説明】
【技術分野】
【０００１】  本発明は、ルームエアコンディショナー（以下、単にルームエアコンという）の改良に関し、更に詳しくは、室内の冷暖房を行うだけではなく、ヒーリングミュージック、波の音，雨だれの音，川のせせらぎ、鳥のさえずり等の効果音を発生せしめる心の癒し効果に優れた有用なルームエアコンに関する。
【背景技術】
【０００２】  従来、斯かるルームエアコンとしては、例えば、ＰＡＭ制御を設けており、昇圧回路又はこれに相当する回路を用いてコンプレッサーへの印加電圧を昇圧させ、昇圧幅によりコンプレッサーの回転数を制御している（例えば、特許文献１参照）。【０００３】  一方、インバータエアコンの心臓部であるインバ−タには、従来から６個のスイッチング素子とこのスイッチング素子に並列に接続された６個のダイオ−ドから三相ブリッジ回路を構成して、これらを１つのパッケ−ジに収納した構成のパワーモジュ−ルが広く使用されている。【０００４】  このパワーモジュ−ルは、６個のスイッチング素子を順次スイッチングすることによって、回転位相の電圧を三相電動機に印可し、回転磁界を与えるものであり、この転流パタ−ンとは別に一定乃至ある範囲内の周波数でスイッチングを行い、スイッチングの通流率を変化させることで電動機の回転数を制御する方式をＰＷＭ方式という。【０００５】  更に、インバータエアコンは、圧縮機モータの制御を比較的負荷の小さい低速回転領域をＰＷＭ制御で行い、負荷の大きい高速回転領域は直流電圧を昇圧させてＰＡＭ制御を行なっている。
【特許文献１】特開平６−１０５５６３号
【発明の開示】
【発明が解決しようとする課題】
【０００６】  しかしながら、上述した従来のルームエアコンにあっては、ＰＡＭ制御の場合、圧縮機を高速で回転できるため、特に低温時における暖房能力を大幅に向上することができ、更には、平滑コンデンサをパワーモジュールと密着した状態で実装でき、実装回路が集積化されるためコンデンサとモジュールの配線等の電力搬送ラインが短縮されるため、高周波ノイズの低減及び小形実装に有利になり、特にノイズを多量に発生する平滑コンデンサの配線部材を使用することなく実装できるためノイズの発生量が非常に小さく抑制することが可能となる他、ノイズ対策部品が大幅に削減できるといった利点を有するものの、静音・防音だけで心の疲れをも癒してくれるものではなかった。【０００７】  また、昨今では、精神的ストレスや心の病を患った人が多いことも相俟って、冷暖房の空気の流れや清涼感を体感しながら心をも癒せてくれるルームエアコンが要望されている。【０００８】  本発明はこのような従来の問題点及び要望に鑑みてなされたもので、単に室内の冷暖房を行うだけではなく、ヒーリングミュージック、波の音，雨だれの音，川のせせらぎ、鳥のさえずり等の効果音を発生せしめるなど、心の癒し効果を図ることができる有用で斬新なルームエアコンディショナーを提供することを目的としたものである。
【課題を解決するための手段】
【０００９】  上述の如き従来の問題点を解決し、所期の目的を達成するため本発明の要旨とする構成は、少なくとも室内の冷房及び／又は暖房を行うルームエアコンディショナーにおいて、ヒーリングミュージック、波の音，雨だれの音，川のせせらぎ、鳥のさえずり等の効果音を発生せしめる音発生手段を備えてなるルームエアコンディショナーに存する。【００１０】  また、前記音発生手段は、少なくとも効果音が録音された記録媒体と、該記録媒体に録音された効果音を出すためのアンプ及び／又はスピーカーと、前記記録媒体の再生モードを切り替えるための切替スイッチとを備えるのが良い。【００１１】  更に、前記音発生手段は、音楽や効果音を発する音源を備えたマイクロスピーカー若しくは集積回路（ＩＣチップ）でも良い。【００１２】  また、前記音発生手段は、音楽や効果音を録音再生する音録再集積回路と、該音録再集積回路を動作状態にする動作スイッチと、音録再集積回路に音楽や効果音を記憶させる録音スイッチと、音声録再集積回路からの信号を音に変換する発音手段と、音を集音する集音マイクとの全て又は何れかを選択又は組み合わせても良い。【００１３】  更に、コンデンサ等のノイズ対策部品として音発生手段を設けるのが良く、延いては、音発生手段に応じて森林の匂いや香り若しくはマイナスイオンが放たれるようにするのが良い。【００１４】  また、本発明のルームエアコンは、車内、室内若しくは建物内部の換気、温度、湿度若しくは空気清浄の状態を自動的に調整する空調手段を備えた空気清浄機、冷風機、冷房若しくは暖房器機であるのが良い。
【発明の効果】
【００１５】  本発明は上述のように構成され、ヒーリングミュージック、波の音，雨だれの音，川のせせらぎ、鳥のさえずり、虫の鳴き声等の効果音を発生せしめる音発生手段を備えたことによって、単に室内の冷暖房を行うだけではなく、心の癒し効果（リラクゼーション効果）を高めることができるといった効果を奏するもので、斬新で健康を促進できるルームエアコンディショナーを提供できる。【００１６】  また、前記音発生手段が、少なくとも効果音が録音された記録媒体と、該記録媒体に録音された効果音を出すためのアンプ及び／又はスピーカーと、前記記録媒体の再生モードを切り替えるための切替スイッチとを備えたことによって、その日その時の体調や気分に応じて効果音を変えることができるため、より心の癒し効果を高めることができるといった効果を奏する。【００１７】  更に、前記音発生手段が、音楽や効果音を発する音源を備えたマイクロスピーカー若しくは集積回路（ＩＣチップ）であることによって、コンデンサ等との配線に起因するノイズを低減し又は効果音でノイズを相殺できるため、ノイズ対策部品を削減できると共に、既存のエアコン本体にも簡単に搭載できるといった効果を奏する。【００１８】  また、音楽や効果音を録音再生する音録再集積回路と、該音録再集積回路を動作状態にする動作スイッチと、音録再集積回路に音楽や効果音を記憶させる録音スイッチと、音声録再集積回路からの信号を音に変換する発音手段と、音を集音する集音マイクとの全て又は何れかを選択又は組み合わせてなることによって、録音スイッチをＯＮとすることで、前記音録再集積回路が録音モードとなり、ＩＣチップが駆動され、適当な時間内に使用者が好きな音楽や詩歌或いはオリジナルのメッセージなどをＩＣチップに録音できると共に、放音スイッチをＯＮすることで、そのメッセージを聴くことができるなど、更にルームエアコンとしての商品価値を高めることができるといった効果を奏する。【００１９】  更に、コンデンサ等のノイズ対策部品として音発生手段を設けることによって、コンデンサ等との配線に起因するノイズを低減し又は効果音でノイズを相殺できるため、ノイズ対策部品を削減できるといった効果を奏する。【００２０】  また、音発生手段に応じて森林の匂いや香り若しくはマイナスイオンが放たれることによって、匂い（嗅覚）による刺激が五感の中でも唯一直接嗅脳に届けられるため、人間の感情や本能に直接的に強く働きかける効果がもっとも高いなどアロマセラピー効果や、心と体のバランスをとり体調の改善や病気の予防を図るマイナスイオン効果を付加させることができるといった効果を奏する。【００２１】  更に、本ルームエアコンが、車内、室内若しくは建物内部の換気、温度、湿度若しくは空気清浄の状態を自動的に調整する空調手段を備えた空気清浄機、冷風機、冷房若しくは暖房器機であることによって、車内であろうが室内であろうが心身共にリフレッシュすることができるルームエアコンディショナーを提供できるといった効果を奏する。【００２２】  このように本発明のルームエアコンは、単に室内の冷暖房を行うだけではなく、心の癒し効果を高めることができるものであり、また、構成が単純であるため大量生産に適し��価格も低廉なものとして需要者に供給できる等、本発明を実施することはその実益的価値が甚だ大なるものがある。
【発明を実施するための最良の形態】
【００２３】  エアコン本体の所定位置にヒーリングミュージック、波の音、雨だれの音、川のせせらぎ、鳥のさえずり等の効果音を発生せしめる音発生手段を備える。この音発生手段は、少なくとも効果音が録音された記録媒体と、該記録媒体に録音された効果音を出すためのアンプ及び／又はスピーカーと、前記記録媒体の再生モードを切り替えるための切替スイッチとを備える。
【実施例】
【００２４】  次に、本発明の実施の一例を図面を参照しながら説明する。図中Ａは、本発明に係るルームエアコン（室内機）であり、このルームエアコンＡは、図１に示すように、所定大きさのエアコン本体１と、該エアコン本体１に内設された音発生手段２とを備えている。【００２５】  音発生手段２は、操作基盤Ｂに着脱自在に組み込まれるＣＤ，ＭＤ、ＲＯＭ等の記録媒体２ａと、該記録媒体２ａを読み込み制御するためのメモリーコントローラ３と、該メモリーコントローラ３の再生音を発生させるべくエアコン本体１に搭載されたアンプスピーカー４，４と、前記メモリーコントローラ３の再生モードを切り替えるための切替スイッチ５とを備える。【００２６】  記録媒体２ａは、例えば、ハードディスクドライブ（ＨＤＤ）及び／又はメモリカード（例えば、４ＧＢのｍｉｎｉＳＤカード、ＭｉｃｒｏＳＤカード）等からなり、携帯電話でダウンロードした効果音をも前期メモリーコントローラ３で読み込むことができるようになっている。【００２７】  尚、操作基盤Ｂには、記録媒体２ａを出し入れするためのディスクドライブ（図示せず）が形成されている。ディスクドライブの形態としては、トレイ方式、キャディ方式、スロットイン方式などが知られているが、使い勝手の点からは、スロットイン方式が望ましい。この方式は、差し込むと自動的に記録媒体２ａ（ディスク）を読み込んでくれるもので、ディスクを載せる特別のキャディなどは必要としない。【００２８】  また、メモリーコントローラ３及び切り替えスイッチ５は、操作基盤Ｂに搭載しているが、別体のリモートコントローラＣにも搭載されており、赤外線で遠隔操作できるように工夫されている。【００２９】  尚、リモートコントローラＣでの遠隔操作の場合（図４参照）では（エアコンの取付位置等は関係なくなることから）、メモリーコントローラ３及び切り替えスイッチ５をエアコン本体１に搭載しても良い。【００３０】  アンプスピーカー４としては、例えば、アンプ付き波動スピーカーが好ましい。この波動スピーカーは、音が耳や皮膚を通して体の中にダイレクトに流れ込むことで、体のバイブレーションを整え、同時に豊かな感動を与えてくれるなど、リラクゼーション効果を高めることができるからである。【００３１】  効果音の再生モードとしては、自然界の音、例えば、川のせせらぎの音、滝や波の音、雨の音、風の音、更には、鳥や虫の鳴き声がなど挙げられ、四季や月別に分けてメモリーコントローラ３に記録しておくことで、聞きたい時や時間の設定によりモードを切り替えて好みの効果音を出すことができる。【００３２】  これにより室内に居ても、自然観、季節観のある音を聞くことができるものであり、延いては、自然界の音に限定されることなく、ヒーリングミュージック（例えば、モーツァルト等のクラシック音楽）を効果音として使用しても良い。また、心の状態や病状に合わせた音楽や効果音に編成しておいても良い。【００３３】  一方、本発明のルームエアコンは、図２に示すように、室外機６にフロンガス等の熱媒体を循環送給するための循環パイプ７が内装されている。【００３４】  循環パイプ７は、コンプレッサー８によって熱媒体の気液変換がなされ、本ルームエアコン��室内機）と室外機６のそれぞれの蒸発機（熱交換機部分）９，１０によって熱の授受が行なわれる。【００３５】  また、図中１１はキャピラリーチューブであり、１２，１３はそれぞれモータ１４，１５によって温風或いは冷風を室内、室外へと送風するファンである。【００３６】  このように構成される本発明のエアコンディショナーは、リモコン（図示せず）のスイッチを入れると、室外機６から本エアコン（室内機）に循環パイプ７を介して液体状態のフロンガスが送給され、次いで、本エアコンの蒸発器１０（詳しくは、エアフィルターを外した後ろにあるアルミのフィン）でフロンガスが蒸発し蒸発器１０を冷却せしめる。次いで、本エアコンのファン１３で蒸発器１０の間に風を送給し、本エアコンから冷たい風が吹き出すことで、室内を設定温度に保持することができる。【００３７】  その際、エアコン本体１若しくはリモコン（図示せず）に組み込んである音発生手段２のＯＮ／ＯＦＦスイッチ（図示せず）を入れることによって、その日その時に応じた好みの効果音を流すことができるため、室内でゆっくりとリラックスできるなど、心を癒すことができるのである。【００３８】  因に、蒸発して気体になったフロンガスは、室外機６に戻り、次いで、室外機６のコンプレッサー８によって圧縮されて高温になったフロンガスは、凝縮器（室外機のアルミのフィン）に送られた後、室外機６のファン１２で冷まされ、次いで、室外機６の電磁弁（フロンガスの圧力を調整する弁）を通過することでフロンガスは液体に戻り、再度、本エアコン（室内機）内へとフロンガスが送給されるといった循環冷却を繰り返すのである。【００３９】  尚、本発明のルームエアコンディショナーは、本実施例に限定されることなく、本発明の目的の範囲内で自由に設計変更し得るものであり、本発明はそれらの全てを包摂するものである。【００４０】  例えば、本実施例の音発生手段２では、記録媒体２ａに録音されている効果音を出すためのアンプスピーカー４と、記録媒体２ａ若しくはメモリーコントローラ３の再生モードを切り替えるための切替スイッチ５とを備えているが、これに限定されることなく、音楽や効果音を発する音源を備えたマイクロスピーカー若しくは集積回路（ＩＣチップ、ＨＤ、ミニＳＤ、マイクロＳＤ）でも良く、延いては、音楽や効果音を録音再生する音録再集積回路と、該音録再集積回路を動作状態にする動作スイッチと、音録再集積回路に音楽や効果音を記憶させる録音スイッチと、音声録再集積回路からの信号を音に変換する発音手段と、音を集音する集音マイクとの全て又は何れかを選択又は組み合わせても良い。【００４１】  また、音発生手段２のモードに応じて、森林の匂いや天然の香り若しくはマイナスイオンが放たれるように構成すれば、匂い（嗅覚）による刺激が五感の中でも唯一直接嗅脳に届けられ、また、人間の感情や本能に直接的に強く働きかける効果がもっとも高いことも相俟って、心と体のバランスをとり体調の改善や病気の予防を図るアロマセラピー効果や、体内に取り込まれることで新陳代謝を促進し、心身をリラックスさせるマイナスイオン効果を付加させることができる。【００４２】  因に、アロマセラピーとは、植物から抽出された１００％���然の香りのオイル（精油＝エッセンシャルオイル）を用いて心とからだのバランスを取り、体調の改善や病気の予防をする香りの自然療法である。【００４３】  また、マイナスイオンは、例えば、トルマリン等のイオン放出天然鉱石にコンプレッサー８の熱エネルギー（温度の上昇）を与えることで発生されるものであり、呼吸によってマイナスイオンを取り込むことによって、マイナスイオンが（電子を与えることで）電子不足によって引き起こされる活性酸素を無毒化してくれる他、プラスに帯電している空気中のチリや悪臭の原因である化学物質が、空気中のマイナスイオンと付着して中和化され、電気的なエネルギーを失うことによって落下し易くなるため、車内或いは室内の空気環境を改善することができる（換言すれば、空気浄化はもとより、健康効果・消臭効果・抗菌効果を発揮する）。【００４４】  更に、本発明のルームエアコンディショナーは、室内のみでの使用に限定されるものではなく、車内若しくは建物内部の換気、温度、湿度若しくは空気の清浄状態などを自動的に調整する空調手段を備えた空気清浄機、冷風機、冷房機、暖房機、更には、室内機と室外機とが実質的に一体となった所謂ウィンド型ルームエアコンにおいても適用できるものである。
【図面の簡単な説明】
【００４５】
【図１】本発明に係るルームエアコンディショナーの説明図である。
【図２】同ルームエアコンディショナーの概略構成図である。
【図３】同ルームエアコンディショナーで使用するメモリーコントローラと記録媒体を示す説明図である。
【図４】同ルームエアコンディショナーの遠隔操作を示す説明図である。
【符号の説明】
【００４６】  Ａ  ルームエアコンディショナー
Ｂ  操作基盤
Ｃ  リモートコントローラ
Ｄ  壁
１  エアコン本体
２  音発生手段
２ａ  記録媒体
３  メモリーコントローラ
４  スピーカー
５  切替スイッチ
６  室外機
７  循環パイプ
８  コンプレッサー
９  蒸発器
１０  蒸発器
１１  キャピラリーチューブ
１２  ファン
１３  ファン
１４  モータ
１５  モータ
【図１】
2008304174.tif 000003
【図２】
2008304174.tif 000004
【図３】
2008304174.tif 000005
【図４】
2008304174.tif 000006